(57)【要約】【課題】裸眼立体表示がクリアで高精細に再現できなかった。ピントが合わず長時間見ることが不可能であった。  本発明は目の疲労なしで被写体の移動速度に関係なく立体表示できる裸眼立体表示器を提供する。【解決手段】高精細な映像をデジタルアナログ変換に独立させたＤＡＣと高密度ＤＡＣの出力を合成、湾曲反射ハーフミラーと再帰性反射板と縦に区切った遮光板で白色ＬＥＤ光源と反射板からの放射光を同じ方向に放射させ、ＤＲＡＭのアドレスから読み出し順序の位置をＲＯＭで決めて左右分離の遮光部分を作成、映像入力から読み出し部分を映像から削除することで２重像にならない立体表示を作り暗号の組み合わせから補完データの波形の傾き度合を演算し補完データと基本データを合成する映出することを特徴とする裸眼立体表示器。【選択図】図２
2019029982.tif 000002
【特許請求の範囲】
【請求項１】
白色ＬＥＤ光源を反射板で四隅を囲み、レンズシートを白色ＬＥＤ光源の前に配置したユニットを遮光板が縦に区切り、湾曲面をレンズシート側に向けた湾曲反射ハーフミラーを左右に円形状に配置し、導光板と電気的に遮光部分の位置を変化させる、水平走査パルス発振回路を第１カウンタと第２カウンタに接続し切り替え信号入力回路に右信号（ＱＲ信号）、左信号（ＱＬ信号）及び中央信号（ＱＣ信号）の入力で対応する遮光位置を記憶したＲＯＭ１或いはＲＯＭ２を切り換え、ＤＲＡＭで読みだす場合のＷＥピンの「１」にする読み出し信号を出力する、遮光作成回路と、左右映像を一時記憶するＤＲＡＭを入力側に備えた液晶デイスプレーに光を当て前面に色分離の液晶シャッタを施したカラーフィルタの間にフレネルレンズシートを挟んだことを特徴とする裸眼立体表示器。
【請求項２】
垂直走査線パルス発振回路と第４カウンタとＴ−ＦＦで走査線偶数列でＤＲＡＭ１に記憶した演算回路３の出力と、暗号解析回路部で傾き度数を暗号化して送信された記号の組み合わせを３個のエンコード回路に入力、桁数を変える演算回路７ブロックと演算回路８で加算してＲＯＭ４を読み出し傾き暗号を解凍し、復調プロセッサで細かな補完数値をＤＲＡＭ１１に記憶し同時に読み出し、出力回路でＤＲＡＭ１の出力はＤＡＣ１にＤＲＡＭ１１の出力は高密度ＤＡＣ１でアナログ合成して液晶デイスプレーの走査線偶数列に出力することを特徴とする請求項１記載の裸眼立体表示器。
【発明の詳細な説明】
【技術分野】
【０００１】  本発明は、眼精疲労なしで高速度撮影コンテンツを立体映像表示できる裸眼立体表示器に関するものである。
【背景技術】
【０００２】  従来の裸眼立体表示器は、小型画面でレンチキュラーレンズシートを画面上に配置した物やＰＣ画面でポリゴン処理して立体に見せる物や遮光板シートを張り付けてみる映像装置はあった。
【発明の概要】
【発明が解決しようとする課題】
【０００３】  従来の裸眼立体表示器は、空間に結像しないホログラフィー映像が多く看板が前後に配置した様な映像表示しかできない。部分的な映像のみが前後に移動する見え方の表示だけであった。
左右映像に分離するための分離装置は遮光度が甘く光漏れはある。２重像表示は避けられないものだった。
本発明は、以上の問題点を解決するためになされたものである。
【課題を解決するための手段】
【０００４】（イ）３個の暗号化した記号を組み合わせを受信機側で解凍し、エンコード回路を３個用      いて高周波パルス発振回路とカウンタで演算回路の桁数を変えた乗算をしてエンコ      ード回路出力の数値を掛け算をして全て加算、波形の傾き度を記憶させたＲＯＭを      読み出し、復調プロセッサで補完データを解凍する。
（ロ）ＨＤチューナとマルチビュー放送チューナを切り替える手段を用い送信側で２Ｄに      強制的に切り替える信号に対応するようにＲＯＭのあるビッドに同期した場合のプ      ロセッサで切り換えを命令する。
（ハ）白色ＬＥＤ光源にレンズシートを配置し、四隅で囲んだ反射板と、湾曲反射ハーフ      ミラーと再帰性反射板と遮光板を中心に区切った構造でＤＲＡＭにおいて読み出し      位置をアドレスカウンタで電気的に処理した液晶デイスプレーにカラーフィルタの      間にフレネルレンズシートを挟み、カラーフィルタに色信号により同時に切り替わ      る色分離液晶シャッタを配置した構造にした。
以上の構成よりなる裸眼立体表示器。
【発明の効果】
【０００５】  映像処理ではデジタルのレイヤー処理の他に傾き度を暗号化し、解凍してアナログ合成をすることで複雑な波形の前後感が表示できる。演算記憶部を基本信号と補完部分を独立させ同期して読み出し、アナログ変換も複数で行い合成することで演算処理の高速化ができる。ゆえにカメラの高速映像の処理もできる。デイスプレーでもＬＥＤ光源の点滅なしで湾曲ハーフミラーと反射板で放射状の光源がデイスプレーに映像の読み出し部分の位置を変える処理で遮光を完ぺきにした。
また２枚のレンズシートを使い、光偏向角度を大きくした。カラーフィルタの裏面にレンズシートを置くことで映像のブレも少ない。
【図面の簡単な説明】
【０００６】
【図１】本発明の全体の構成図
【図２】本発明の裸眼立体表示部の構成断面図
【図３】本発明の受信回路の構成図
【図４】本発明の暗号解析回路の構成図
【図５】本発明の遮光部分を作成する回路図
【図６】本発明のＤＲＡＭ部と出力回路図
【図７】本発明のチューナとデイスプレーの接続図
【図８】本発明のチューナの構成図
【図９】本発明の演算記憶ブロックの左右映像の出力構成を示す図
【図１０】本発明のＲＯＭ１とＲＯＭ２の記録内容を示す図
【図１１】本発明の光分離部の構成図
【図１２】本発明のデイスプレーからの光屈折を示す図
【図１３】本発明の接続を示す図
【図１４】本発明のＲＯＭ４の記録内容を示す図
【発明を実施するための形態】
【０００７】  以下、本発明の実施の形態を図１から図１４を用いて説明する。
チューナ（１）はＨＤチューナ（１０）とマルチビュー放送チューナ（１１）がツインになったもので、Ｓ１、Ｓ２、Ｓ３の３分割放送が受信できる。チューナ（１）は、ＨＤチューナ（１０）とマルチビュー放送チューナ（１１）をアンテナに接続、チューナ出力側は、切り換えリレーモジュール（１８）に接続されている。ＨＤチューナ（１０）の出力はＨＤ側にマルチビュー放送チューナ（１１）はＳＤ側に接続されている。一方、クロックパルス発振回路（１５）から第５カウンタ（１３）に接続し、パルスを計数、ＲＯＭ４（１２）にアドレス信号を送り、ＲＯＭ４（１２）の端子で１ビッド目はＨＤ、２ビッド目は、ＳＤ画質に切り替える信号で３ビッド目は空白、４ビッド目は回帰信号用でマルチビュー放送チューナ（１１）が受信できる場合、切り換えリレーモジュール（１８）のＳＤ側のＳ３に接続してある多重信号分離回路（１９）のＹ信号（回帰信号）で２Ｄに切り替わる信号として同期する必要があるためＡＮＤゲート（１６）にＹ信号を入力、さらにＲＯＭ４（１２）の４ビッドのパルスを入力する。一致すると、制御プロセッサ（１４）は第５カウンタ（１３）を強制的に「１」に戻す命令をする。不一致の場合は、命令信号はなく継続する。
これでＨＤチューナ（１０）とマルチビュー放送チューナ（１１）を切り替えることができる。Ｙ信号は、送信側の強制信号であるため普通、４ビッド目は、回帰信号として働き「１」に戻る。
このＲＯＭ４（１２）の記録内容は図１４に記載する通りである。
【０００８】  マルチビュー放送でＳ３では波形の傾きの組み合わせ暗号とＥ１、Ｅ２の補完デジタル信号と、強制的に２Ｄ映像にする信号（強制信号）と３Ｄ識別信号が送信され、ＰＩＤで区別される。マルチビュー放送時にＳ１で右カメラ基本情報、Ｓ２で中央カメラ基本情報が受信できる。Ｓ３でＥ１、Ｅ２が受信されともにＨＤカメラで撮ったデジタルデータである。演算回路５（Ｅ５）（２０２）で１０のｎ乗を掛け算し演算回路６（Ｅ６）（２０４）で復調プロセッサ（２０３）のデジタル情報と加算演算する。或いは図９に示す演算記憶ブロック（２２０）を用いる方法もある。
【０００９】  演算回路１（Ｅ１）は右カメラ−  左カメラ
演算回路２（Ｅ２）は右カメラ−中央カメラ（字幕なし）
演算回路３（Ｅ３）は（演算回路２の出力）＋中央カメラ（字幕なし）
演算回路４（Ｅ４）は（演算回路３の出力）−（演算回路１の出力）
基本信号と補完信号を送るための傾き度を暗号化する組み合わせ信号を送る工夫をする。
【００１０】  演算回路３（Ｅ３）（２０６）の出力の一部は、ＤＲＡＭ回路（９）のＤＲＡＭ１（９０）へ基本信号成分が、ＤＲＡＭ１１（９１）に補正信号成分が入力される。
演算回路３（Ｅ３）（２０６）の出力は、演算回路４（Ｅ４）（２０７）に接続し演算回路４（Ｅ４）（２０７）に入力される。
この映像信号は、遮光処理はされていない映像信号である。左カメラ映像信号を再構成する演算回路４（Ｅ４）（２０７）は演算回路３（Ｅ３）（２０６）と演算回路１（Ｅ１）（２００）の入力で演算して得られるためである。
演算回路４（Ｅ４）（２０７）には、演算回路３（Ｅ３）（２０６）の出力データと、マルチビュー放送チューナ（１１）の（Ｓ３）から暗号解析回路部（２１）を経由して、復調プロセッサ（２０３）を介して得られる補完信号成分も追加して演算する。
【００１１】  これは図９に示す通りで、演算記憶ブロック（２２０）は、演算記憶ブロックＡ（２２１）と演算記憶ブロックＢ（２２２）でそれぞれ演算ブロック（２２３）とＤＲＡＭブロック（２２４）で構成されている。ともにＲＧＢ別別に３組の演算回路とＤＲＡＭ（記憶回路）が設けられている。
【００１２】  垂直走査線パルス発振回路（２３０）は画面を構成する走査線の縦方向を作る発振回路である。垂直走査線パルス発振回路（２３０）は、第４カウンタ（２３１）に接続されＴ−ＦＦ（２３２）に接続するとパルス「２」に対して「１」出力するので「１」の時に読み出し信号としてＤＲＡＭ回路（９）で左カメラ映像が出力できる走査線偶数列を読みだすことができる。演算回路４（Ｅ４）（２０７）にＤＲＡＭ２（９２）とＤＲＡＭ２２（９３）が対応する。
走査線奇数列では書き込みを行ない同時に別の演算記憶ブロック（２２０）から遮光作成回路（５）からＤＲＡＭ回路（９）のＤＲＡＭ１（９０）とＤＲＡＭ１１（９１）に接続して出力する。
また演算記憶ブロック（２２０）のＤＲＡＭブロック（２２４）の基本信号成分処理用の演算記憶ブロックＡ（２２１）と補完信号処理用の演算記憶ブロックＢ（２２２）のＤＲＡＭブロック（２２４）にＴ−ＦＦ（２３２）の「１」信号が入力される。
【００１３】  図４は、暗号解析回路部（２１）で第１エンコード回路（２１１）にＸ成分が第２エンコード回路（２１２）にＹ成分が第３エンコード回路（２１３）にＺ成分が入力され高周波パルス発振回路（２１７）から第３カウンタ（２１８）を介してＤＡＣ３（２１９）で「１」で演算回路７（Ｅ７）ブロック（２１０）の１０を掛ける演算を行い、「２」の時に１００を掛ける演算を行い、「３」の時に１０００を掛ける演算を行う。「４」でリセットし第３カウンタ（２１８）を「１」に戻す。演算回路７（Ｅ７）ブロック（２１０）の出力をリレー（２１６）に入力、リセット「４」と同時にリレー（２１６）を開き、演算回路８（Ｅ８）（２１４）でエンコード数値を加算してＲＯＭ４（２１５）を読みだす。これには傾き度の情報が記憶されている。傾き度数をΔ、時間軸をＡとするとｈ＝ｔａｎΔＡ×ｎの関係式が出る。Ａは短い時間数値で復調プロセッサ（２０３）に設定されている。ｈを求める演算が復調プロセッサ（２０６）で行われる。ｎは第３カウンタ（２１８）から接続され連続した数値を入力する。図４に示す通りである。
【００１４】  図５は、左右映像画面に遮光部分を作成するための回路である。水平走査パルス発振回路（５０）は、画面を構成する走査線の横走査部分を分割してカウントするためのパルスを発振する回路である。これは水平同期している。これは同時に第１カウンタ（５１）と第２カウンタ（５２）に接続して、切り替え信号入力回路（３０）からＱＬ信号と第１カウンタ（５１）の出力が第１リレー（５３）を経てＲＯＭ２（５６）へ入力する。
ＱＲ信号と第２カウンタ（５２）の出力が第３リレー（５５）を経てＲＯＭ３（５７）に入力する。ＱＣ信号は第２リレー（５４）から出力する。
【００１５】  第１リレー（５３）は、第１カウンタ（５１）からＱＬ信号のみ作動するため左映像カメラに関わる。演算回路３（Ｅ３）（２０６）からの出力は演算回路４（Ｅ４）（２０７）のＡ（基本信号）に補完信号Ｂに入る。Ｂ出力は、ＤＲＡＭ２２（９３）にＡ（基本信号）は、ＤＲＡＭ２（９２）に入る。
【００１６】    ＤＲＡＭ回路（９）は、左右映像に左右分離のための遮光部分を作成するための記憶メモリ回路である。
クロックパルスを必要とするダイナミック動作型記憶メモリ（ＤＲＡＭ）に、Ｑｍ及びＱｎ信号で読み出し信号によりＤＲＡＭのＷＥピンを「１」にして読みだす。ＷＥピン「０」で書き込む。
ＤＲＡＭ回路（９）のＤＲＡＭ１（９０）とＤＲＡＭ１１（９１）のＷＥピン（９７）をＱｎ信号が入力することで「１」にして読みだすと、ＤＲＡＭ２（９２）とＤＲＡＭ２２（９３）のＷＥピン（９７）をＱｍ信号入力で「１」で読みだす。
【００１７】    ＤＲＡＭ回路（９）は、出力回路（１０）に接続され、裸眼シネスコ３Ｄデイスプレー（７０）の液晶デイスプレー（４５）に接続されている。
出力回路（１０）は、裸眼シネスコ３Ｄデイスプレー（７０）の液晶デイスプレー（４５）に映像信号を出力する回路である。演算回路３（Ｅ３）（２０６）の出力は、演算記憶ブロック（２２０）の演算記憶ブロックＡ（２２１）とＤＲＡＭ１（９０）と演算記憶ブロックＢ（２２２）のＤＲＡＭ１１（９１）と独立して接続されている。
ＤＲＡＭ回路（９）のＤＲＡＭ１（９０）の出力は、出力回路（１０）のＤＡＣ１（１００）に接続し、ＤＲＡＭ１１（９１）の出力は、出力回路（１０）の高密度ＤＡＣ１（１０１）に接続し、ＤＲＡＭ２（９３）の出力は、ＤＡＣ２（１０２）に接続し、ＤＲＡＭ２２（９３）の出力は、高密度ＤＡＣ２（１０３）に接続されアナログ信号として出力される。これはすべて出力合成（１０４）に混合され液晶デイスプレー（４５）に入力される。
【００１８】  図１１及び図２に示す立体表示部（４）は、白色ＬＥＤ光源（４２）は四隅に囲まれた反射板（４３）で放射状に反射しレンズシート（４１）を通過する。すると光分離部（４４）に遮光板（４４３）が中心に入り湾曲反射ハーフミラー（４４２）が遮光板（４４３）を中心に湾曲面を円形状に配置され湾曲面に白色ＬＥＤ光源（４２）に光は反射或いは通過する。
これである方向に光は放射状に進行する。これが液晶デイスプレー（４５）に入光するが遮光部分が完璧に遮光できるので余計な光はもれない。これがフレネルレンズシート（４６）に入ると光屈折して光進行方向を曲げる光の屈折の法則から反対方向には光はいかない。さらに前段にカラーフィルタ（４７）がＲＧＢ配列されているが左右別に計６分割配列してある。さらに色分離する液晶シャッター（４８）がカラーフィルタ（４７）が配列されている。
【００１９】  カラーフィルタ（４７）の裏にフレネルレンズシート（４６）が設けてあることは表示面にレンズがあるとピントが合わないばかりか映像のブレも生じる。見る方向による映像の歪みもある。液晶デイスプレー（４５）に後段にレンズがついて前段にもレンズシートが配置されている。これが空間に映像を結像することができる。焦点ができるからである。
【００２０】  これは接眼レンズに目を接して見るが投影することで目を離しても見えることと同じである。つまりフレネルレンズシート（４６）が投影レンズの働きをするのである。
【００２１】  カラーフィルタ（４７）に色別に細かい液晶シャッター（４８）で色信号により同時に切り替えることで色ごとに映像の光が通過するため合成して様々な色再現ができる。
【００２２】  以上のような構成の裸眼立体表示器である。
【符号の説明】
【００２３】１      チューナ
１０    ＨＤチューナ
１１    マルチビュー放送チューナ
１２    ＲＯＭ４
１３    第５カウンタ
１４    制御プロセッサ
１５    クロックパルス発振回路
１６    ＡＮＤ回路
１７    ＤＡＣ４
１８    切り換えリレーモジュール
１９    多重信号分離回路
２      映像処理回路部
２００  演算回路１（Ｅ１）
２０１  演算回路２（Ｅ２）
２０２  演算回路５（Ｅ５）
２０３  復調プロセッサ
２０４  演算回路６（Ｅ６）
２０５  補完レベル演算回路９（Ｅ９）
２０６  演算回路３（Ｅ３）
２０７  演算回路４（Ｅ４）
２１    暗号解析回路部
２１０  演算回路７（Ｅ７）ブロック
２１１  第１エンコード回路
２１２  第２エンコード回路
２１３  第３エンコード回路
２１４  演算回路８（Ｅ８）
２１５  ＲＯＭ４
２１６  リレー
２１７  高周波パルス発振回路
２１８  第３カウンタ
２１９  ＤＡＣ３
２２０  演算回路ブロック
２２１  演算回路ブロックＡ
２２２  演算回路ブロックＢ
２２３  演算ブロック
２２４  ＤＲＡＭブロック
２３    垂直パルス回路
２３０  垂直走査線パルス発振回路
２３１  第４カウンタ
２３２  Ｔ−ＦＦ
３      映像処理回路部
３０    切り替え信号入力回路
３１    映像入力回路
３２    リレーモジュール
３３    左映像信号
３４    中央映像信号
３５    右映像信号
４      立体表示部
４０    背面
４１    レンズシート
４２    白色ＬＥＤ光源
４３    反射板
４４    光分離部
４４０  再帰性反射板
４４１  導光板
４４２  湾曲反射ハーフミラー
４４３  遮光板
４５    液晶デイスプレー
４６    フレネルレンズシート
４７    カラーフィルタ
４８    色分離液晶シャッタ
４９    フレーム枠
５      遮光作成回路部
５０    水平走査パルス
５１    第１カウンタ
５２    第２カウンタ
５３    第１リレー
５４    第２リレー
５５    第３リレー
５６    ＲＯＭ２
５７    ＲＯＭ３
６      信号振り分け回路部
７０    裸眼シネスコ３Ｄデイスプレー
７１    ＰＣ端末
７２    光回線ターミナル
７３    ＵＳＢケーブル
７４    スピーカ
９      ＤＲＡＭ回路
９０    ＤＲＡＭ１
９１    ＤＲＡＭ１１
９２    ＤＲＡＭ２
９３    ＤＲＡＭ２２
９７    ＷＥピン
１０    出力回路
１００  ＤＡＣ１
１０１  高密度ＤＡＣ１
１０２  ＤＡＣ２
１０３  高密度ＤＡＣ２
１０４  出力合成（アナログ回路）
【図１】
2019029982.tif 000003
【図２】
2019029982.tif 000004
【図３】
2019029982.tif 000005
【図４】
2019029982.tif 000006
【図５】
2019029982.tif 000007
【図６】
2019029982.tif 000008
【図７】
2019029982.tif 000009
【図８】
2019029982.tif 000010
【図９】
2019029982.tif 000011
【図１０】
2019029982.tif 000012
【図１１】
2019029982.tif 000013
【図１２】
2019029982.tif 000014
【図１３】
2019029982.tif 000015
【図１４】
2019029982.tif 000016
【手続補正書】
【提出日】平成29年9月11日(2017.9.11)
【手続補正１】
【補正対象書類名】明細書
【補正対象項目名】００２３
【補正方法】変更
【補正の内容】
【００２３】１      チューナ
１０    ＨＤチューナ
１１    マルチビュー放送チューナ
１２    ＲＯＭ４
１３    第５カウンタ
１４    制御カウンタ
１５    クロックパルス発振回路
１６    ＡＮＤ回路
１７    ＤＡＣ４
１８    切り換えリレーモジュール
１９    多重信号分離回路
２      映像処理回路部
２００  演算回路１（Ｅ１）
２０１  演算回路２（Ｅ２）
２０２  演算回路５（Ｅ５）
２０３  復調プロセッサ
２０４  演算回路６（Ｅ６）
２０５  演算回路９（Ｅ９）
２０６  演算回路３（Ｅ３）
２０７  演算回路４（Ｅ４）
２１    暗号解析回路部
２１０  演算回路７（Ｅ７）ブロック
２１１  第１エンコード回路
２１２  第２エンコード回路
２１３  第３エンコード回路
２１４  演算回路８（Ｅ８）
２１５  ＲＯＭ４
２１６  リレー
２１７  高周波パルス発振回路
２１８  第３カウンタ
２１９  ＤＡＣ３
２２０  演算回路ブロック
２２１  演算回路ブロックＡ
２２２  演算回路ブロックＢ
２２３  演算ブロック
２２４  ＤＲＡＭブロック
２３    垂直パルス回路
２３０  垂直走査線パルス発振回路
２３１  第４カウンタ
２３２  Ｔ−ＦＦ
３      映像処理回路部
３０    切り替え信号入力回路
３１    映像入力回路
３２    リレーモジュール
３３    左映像信号
３４    中央映像信号
３５    右映像信号
４      立体表示部
４０    背面
４１    レンズシート
４２    白色ＬＥＤ光源
４３    反射板
４４    光分離部
４４０  再帰性反射板
４４１  導光板
４４２  湾曲反射ハーフミラー
４４３  遮光板
４５    液晶デイスプレー
４６    フレネルレンズシート
４７    カラーフィルタ
４８    液晶シャッター
４９    フレーム枠
５      遮光作成回路部
５０    水平走査パルス
５１    第１カウンタ
５２    第２カウンタ
５３    第１リレー
５４    第２リレー
５５    第３リレー
５６    ＲＯＭ２
５７    ＲＯＭ３
６      信号振り分け回路部
７０    裸眼シネスコ３Ｄデイスプレー
７１    ＰＣ端末
７２    光回線ターミナル
７３    ＵＳＢケーブル
７４    スピーカ
９      ＤＲＡＭ回路
９０    ＤＲＡＭ１
９１    ＤＲＡＭ１１
９２    ＤＲＡＭ２
９３    ＤＲＡＭ２２
９７    ＷＥピン
１０    出力回路
１００  ＤＡＣ１
１０１  高密度ＤＡＣ１
１０２  ＤＡＣ２
１０３  高密度ＤＡＣ２
１０４  出力合成（アナログ回路）
【手続補正書】
【提出日】平成29年9月19日(2017.9.19)
【手続補正１】
【補正対象書類名】特許請求の範囲
【補正対象項目名】請求項１
【補正方法】変更
【補正の内容】
【請求項１】
白色ＬＥＤ光源を反射板で四隅を囲み、レンズシートを白色ＬＥＤ光源の前方向に、再帰性反射板を両端に遮光板が縦に区切り、湾曲面をレンズシート側に向けた湾曲反射ハーフミラーを左右に円形状に配置した光分離部と導光板と電気的に遮光部分の位置を変化させる、水平走査パルス発振回路を第１カウンタと第２カウンタに接続し切り替え信号入力回路に右信号（ＱＲ信号）、左信号（ＱＬ信号）及び中央信号（ＱＣ信号）の入力で遮光位置を記憶したＲＯＭ１或いはＲＯＭ２を切り換える、遮光作成回路を接続し、左右映像を一時記憶するＤＲＡＭに遮光位置を記憶したＲＯＭを設けた遮光作成回路を接続して得た出力を液晶デイスプレーに入力し、液晶デイスプレーの裏面に光を当て、前方に液晶シャッタとカラーフィルタの間にフレネルレンズシートを挟んだことを特徴とする裸眼立体表示器。
【手続補正２】
【補正対象書類名】特許請求の範囲
【補正対象項目名】請求項２
【補正方法】変更
【補正の内容】
【請求項２】
垂直走査線パルス発振回路と第４カウンタとＴ−ＦＦで走査線偶数列において、ＤＲＡＭ１に記憶した演算回路３の出力と、暗号解析回路部で傾き度数を暗号化して送信された記号の組み合わせを３個のエンコード回路に入力、桁数を変える演算回路７ブロックと演算回路８で加算してＲＯＭ４を読み出し傾き信号を作成し、復調プロセッサで細かな補完数値をＤＲＡＭ１１に記憶し同時に読み出し、出力回路でＤＲＡＭ１の出力はＤＡＣ１にＤＲＡＭ１１の出力は高密度ＤＡＣ１でアナログ合成して液晶ディスプレーの走査線偶数列に出力することを特徴とする請求項１記載の裸眼立体表示器。
【手続補正書】
【提出日】平成29年9月22日(2017.9.22)
【手続補正１】
【補正対象書類名】明細書
【補正対象項目名】００１８
【補正方法】変更
【補正の内容】
【００１８】  図１１及び図２に示す立体表示部（４）で白色ＬＥＤ光源（４２）は、四隅に囲まれた反射板（４３）で放射状に反射しレンズシート（４１）を通過する。すると光分離部（４４）に再帰性反射板（４４０）を両端に配置し、湾曲反射ハーフミラー（４４２）が遮光板（４４３）を中心に湾曲面を円形状に配置され湾曲面に白色ＬＥＤ光源（４２）に光は反射或いは通過する。
これで、ある方向に光は、放射状に進行する。これが液晶デイスプレー（４５）に入光するが遮光部分が完璧に遮光できるので光は漏れない。これがフレネルレンズシート（４６）に入ると光屈折して光進行方向が変わる。光の屈折の法則から反対方向に光は進行しない。さらに前段にカラーフィルタ（４７）が色分離する、液晶シャッタ（４８）を挟んで、ＲＧＢ配列されるが左右映像ごと計６個のカラーフィルタ（４７）が配列してある。
【手続補正書】
【提出日】平成29年10月15日(2017.10.15)
【手続補正１】
【補正対象書類名】明細書
【補正対象項目名】０００７
【補正方法】変更
【補正の内容】
【０００７】  以下、本発明の実施の形態を図１から図１４を用いて説明する。
チューナ（１）はＨＤチューナ（１０）とマルチビュー放送チューナ（１１）がツインになったもので、Ｓ１、Ｓ２、Ｓ３の３分割放送が受信できる。チューナ（１）は、ＨＤチューナ（１０）とマルチビュー放送チューナ（１１）をアンテナに接続、チューナ（１）は、切り換えリレーモジュール（１８）に接続されている。ＨＤチューナ（１０）の出力はＨＤ側にマルチビュー放送チューナ（１１）はＳＤ側に接続されている。一方、クロックパルス発振回路（１５）から第５カウンタ（１３）に接続し、パルスを計数、ＲＯＭ４（１２）にアドレス信号を送り、ＲＯＭ４（１２）の端子で１ビッド目はＨＤ、２ビッド目は、ＳＤ画質に切り替える信号で３ビッド目は空白、４ビッド目は回帰信号用でマルチビュー放送チューナ（１１）が受信できる場合、切り換えリレーモジュール（１８）のＳＤ側のＳ３に接続してある多重信号分離回路（１９）のＹ信号（回帰信号）で２Ｄに切り替わる信号として同期する必要があるためＡＮＤゲート（１６）にＹ信号を入力、さらにＲＯＭ４（１２）の４ビッドのパルスを入力する。一致すると、制御プロセッサ（１４）は第５カウンタ（１３）を強制的に「１」に戻す命令をする。不一致の場合は、命令信号はなく継続する。
これでＨＤチューナ（１０）とマルチビュー放送チューナ（１１）を切り替えることができる。Ｙ信号は、送信側の強制信号であるため普通、４ビッド目は、回帰信号として働き「１」に戻る。
このＲＯＭ４（１２）の記録内容は図１４に記載する通りである。
【手続補正２】
【補正対象書類名】明細書
【補正対象項目名】００１３
【補正方法】変更
【補正の内容】
【００１３】  図４は、暗号解析回路部（２１）で第１エンコード回路（２１１）にＸ成分が第２エンコード回路（２１２）にＹ成分が第３エンコード回路（２１３）にＺ成分が入力され高周波パルス発振回路（２１７）から第３カウンタ（２１８）を介してＤＡＣ３（２１９）で「１」で演算回路７（Ｅ７）ブロック（２１０）の１０を掛ける演算を行い、「２」の時に１００を掛ける演算を行い、「３」の時に１０００を掛ける演算を行う。「４」でリセットし第３カウンタ（２１８）を「１」に戻す。演算回路７（Ｅ７）ブロック（２１０）の出力をリレー（２１６）に入力、リセット「４」と同時にリレー（２１６）を開き、演算回路８（Ｅ８）（２１４）でエンコード数値を加算してＲＯＭ４（２１５）を読みだす。これには傾き度の情報が記憶されている。傾き度数をΔ、時間軸をＡとするとｈ＝ｔａｎΔＡ×ｎの関係式が出る。Ａは短い時間数値で復調プロセッサ（２０３）に設定されている。ｈを求める演算が復調プロセッサ（２０３）で行われる。ｎは第３カウンタ（２１８）から接続され連続した数値を入力する。図４に示す通りである。
【手続補正３】
【補正対象書類名】明細書
【補正対象項目名】００１７
【補正方法】変更
【補正の内容】
【００１７】    ＤＲＡＭ回路（９）は、出力回路（９８）に接続され、裸眼シネスコ３Ｄデイスプレー（７０）の液晶デイスプレー（４５）に接続されている。
出力回路（９８）は、裸眼シネスコ３Ｄデイスプレー（７０）の液晶デイスプレー（４５）に映像信号を出力する回路である。演算回路３（Ｅ３）（２０６）の出力は、演算記憶ブロック（２２０）の演算記憶ブロックＡ（２２１）とＤＲＡＭ１（９０）と演算記憶ブロックＢ（２２２）のＤＲＡＭ１１（９１）と独立して接続されている。
ＤＲＡＭ回路（９）のＤＲＡＭ１（９０）の出力は、出力回路（９８）のＤＡＣ１（１００）に接続し、ＤＲＡＭ１１（９１）の出力は、出力回路（９８）の高密度ＤＡＣ１（１０１）に接続し、ＤＲＡＭ２（９３）の出力は、ＤＡＣ２（１０２）に接続し、ＤＲＡＭ２２（９３）の出力は、高密度ＤＡＣ２（１０３）に接続されアナログ信号として出力される。これはすべて出力合成（１０４）に混合され液晶デイスプレー（４５）に入力される。
【手続補正４】
【補正対象書類名】明細書
【補正対象項目名】００２３
【補正方法】変更
【補正の内容】
【００２３】１      チューナ
１０    ＨＤチューナ
１１    マルチビュー放送チューナ
１２    ＲＯＭ４
１３    第５カウンタ
１４    制御プロセッサ
１５    クロックパルス発振回路
１６    ＡＮＤ回路
１７    ＤＡＣ４
１８    切り換えリレーモジュール
１９    多重信号分離回路
２      映像処理回路部
２００  演算回路１（Ｅ１）
２０１  演算回路２（Ｅ２）
２０２  演算回路５（Ｅ５）
２０３  復調プロセッサ
２０４  演算回路６（Ｅ６）
２０５  補完レベル演算回路９（Ｅ９）
２０６  演算回路３（Ｅ３）
２０７  演算回路４（Ｅ４）
２１    暗号解析回路部
２１０  演算回路７（Ｅ７）ブロック
２１１  第１エンコード回路
２１２  第２エンコード回路
２１３  第３エンコード回路
２１４  演算回路８（Ｅ８）
２１５  ＲＯＭ４
２１６  リレー
２１７  高周波パルス発振回路
２１８  第３カウンタ
２１９  ＤＡＣ３
２２０  演算回路ブロック
２２１  演算回路ブロックＡ
２２２  演算回路ブロックＢ
２２３  演算ブロック
２２４  ＤＲＡＭブロック
２３    垂直パルス回路
２３０  垂直走査線パルス発振回路
２３１  第４カウンタ
２３２  Ｔ−ＦＦ
３      映像処理回路部
３０    切り替え信号入力回路
３１    映像入力回路
３２    リレーモジュール
３３    左映像信号
３４    中央映像信号
３５    右映像信号
４      立体表示部
４０    背面
４１    レンズシート
４２    白色ＬＥＤ光源
４３    反射板
４４    光分離部
４４０  再帰性反射板
４４１  導光板
４４２  湾曲反射ハーフミラー
４４３  遮光板
４５    液晶デイスプレー
４６    フレネルレンズシート
４７    カラーフイルタ
４８    液晶シャッター
４９    フレーム枠
５      遮光作成回路部
５０    水平走査パルス
５１    第１カウンタ
５２    第２カウンタ
５３    第１リレー
５４    第２リレー
５５    第３リレー
５６    ＲＯＭ２
５７    ＲＯＭ３
６      信号振り分け回路部
７０    裸眼シネスコ３Ｄデイスプレー
７１    ＰＣ端末
７２    光回線ターミナル
７３    ＵＳＢケーブル
７４    スピーカ
９      ＤＲＡＭ回路
９０    ＤＲＡＭ１
９１    ＤＲＡＭ１１
９２    ＤＲＡＭ２
９３    ＤＲＡＭ２２
９７    ＷＥピン
９８    出力回路
１００  ＤＡＣ１
１０１  高密度ＤＡＣ１
１０２  ＤＡＣ２
１０３  高密度ＤＡＣ２
１０４  出力合成（アナログ回路）
【手続補正５】
【補正対象書類名】図面
【補正対象項目名】図６
【補正方法】変更
【補正の内容】
【図６】
2019029982.tif 000017
【手続補正６】
【補正対象書類名】図面
【補正対象項目名】図９
【補正方法】変更
【補正の内容】
【図９】
2019029982.tif 000018
【手続補正書】
【提出日】平成29年10月18日(2017.10.18)
【手続補正１】
【補正対象書類名】明細書
【補正対象項目名】０００４
【補正方法】変更
【補正の内容】
【０００４】（イ）３個の暗号化した記号を組み合わせを受信機側で解凍し、エンコード回路を３個用      いて高周波パルス発振回路とカウンタで演算回路の桁数を変えた乗算をしてエンコ      ード回路出力の数値を掛け算をして全て加算、波形の傾き度を記憶させたＲＯＭを      読み出し、復調プロセッサで補完データを解凍する。（ロ）ＨＤチューナとマルチビュー放送チューナを切り替える手段を用い送信側で２Ｄに      強制的に切り替える信号に対応するようにＲＯＭのあるビッドに同期した場合のプ      ロセッサで切り換えを命令する。（ハ）白色ＬＥＤ光源にレンズシートを配置し、四隅で囲んだ反射板と、湾曲反射ハーフ      ミラーと再帰性反射板と遮光板を中心に区切った構造でＤＲＡＭにおいて読み出し      位置をアドレスカウンタで電気的に処理した液晶デイスプレーにカラーフィルタの      間にフレネルレンズシートを挟み、カラーフィルタに色信号により同時に切り替わ      る色分離するための液晶シャッターを配置した構造にした。      以上の構成よりなる裸眼立体表示器。
【手続補正２】
【補正対象書類名】明細書
【補正対象項目名】００１２
【補正方法】変更
【補正の内容】
【００１２】  垂直走査線パルス発振回路（２３０）は、画面を構成する走査線の縦方向を作る発振回路である。垂直走査線パルス発振回路（２３０）は、第４カウンタ（２３１）に接続され、Ｔ−ＦＦ（２３２）に接続すると、パルス「２」に対して「１」出力するので「１」の時に読み出し信号としてＤＲＡＭ回路（９）で左カメラ映像が出力できる。走査線偶数列で読みだすことができる。  演算回路４（Ｅ４）（２０７）にＤＲＡＭ２（９２）とＤＲＡＭ２２（９３）が対応する。走査線奇数列では書き込みを行ない同時に別の演算記憶ブロック（２２０）から遮光作成回路部（５）からＤＲＡＭ回路（９）のＤＲＡＭ１（９０）とＤＲＡＭ１１（９１）に接続して出力する。  また演算記憶ブロック（２２０）のＤＲＡＭブロック（２２４）の基本信号成分処理用の演算記憶ブロックＡ（２２１）と補完信号処理用の演算記憶ブロックＢ（２２２）のＤＲＡＭブロック（２２４）にＴ−ＦＦ（２３２）の「１」信号が入力される。
【手続補正３】
【補正対象書類名】明細書
【補正対象項目名】００１３
【補正方法】変更
【補正の内容】
【００１３】  図４は、暗号解析回路部（２１）で第１エンコード回路（２１１）にＸ成分が第２エンコード回路（２１２）にＹ成分が第３エンコード回路（２１３）にＺ成分が入力され高周波パルス発振回路（２１７）から第３カウンタ（２１８）を介してＤＡＣ３（２１９）で「１」で演算回路７（Ｅ７）ブロック（２１０）の１０を掛ける演算を行い、「２」の時に１００を掛ける演算を行い、「３」の時に１０００を掛ける演算を行う。「４」でリセットし第３カウンタ（２１８）を「１」に戻す。演算回路７（Ｅ７）ブロック（２１０）の出力をリレー（２１６）に入力、リセット「４」と同時にリレー（２１６）を開き、演算回路８（Ｅ８）（２１４）でエンコード数値を加算してＲＯＭ５（２１５）を読みだす。これには傾き度の情報が記憶されている。傾き度数をΔ、時間軸をＡとするとｈ＝ｔａｎΔＡ×ｎの関係式が出る。Ａは短い時間数値で復調プロセッサ（２０３）に設定されている。ｈを求める演算が復調プロセッサ（２０３）で行われる。ｎは第３カウンタ（２１８）から接続され連続した数値を入力する。図４に示す通りである。
【手続補正４】
【補正対象書類名】明細書
【補正対象項目名】００２３
【補正方法】変更
【補正の内容】
【００２３】１      チューナ１０    ＨＤチューナ１１    マルチビュー放送チューナ１２    ＲＯＭ４１３    第５カウンタ１４    制御プロセッサ１５    クロックパルス発振回路１６    ＡＮＤ回路１７    ＤＡＣ４１８    切り換えリレーモジュール１９    多重信号分離回路２      映像処理回路部２００  演算回路１（Ｅ１）２０１  演算回路２（Ｅ２）２０２  演算回路５（Ｅ５）２０３  復調プロセッサ２０４  演算回路６（Ｅ６）２０５  補完レベル演算回路９（Ｅ９）２０６  演算回路３（Ｅ３）２０７  演算回路４（Ｅ４）２１    暗号解析回路部２１０  演算回路７（Ｅ７）ブロック２１１  第１エンコード回路２１２  第２エンコード回路２１３  第３エンコード回路２１４  演算回路８（Ｅ８）２１５  ＲＯＭ５２１６  リレー２１７  高周波パルス発振回路２１８  第３カウンタ２１９  ＤＡＣ３２２０  演算記憶ブロック２２１  演算記憶ブロックＡ２２２  演算記憶ブロックＢ２２３  演算ブロック２２４  ＤＲＡＭブロック２３    垂直パルス回路２３０  垂直走査線パルス発振回路２３１  第４カウンタ２３２  Ｔ−ＦＦ３      映像処理回路部３０    切り替え信号入力回路３１    映像入力回路３２    リレーモジュール３３    左映像信号３４    中央映像信号３５    右映像信号４      立体表示部４０    背面４１    レンズシート４２    白色ＬＥＤ光源４３    反射板４４    光分離部４４０  再帰性反射板４４１  導光板４４２  湾曲反射ハーフミラー４４３  遮光板４５    液晶デイスプレー４６    フレネルレンズシート４７    カラーフィルタ４８    液晶シャッター４９    フレーム枠５      遮光作成回路部５０    水平走査パルス発振回路５１    第１カウンタ５２    第２カウンタ５３    第１リレー５４    第２リレー５５    第３リレー５６    ＲＯＭ２５７    ＲＯＭ３６      信号振り分け回路部７０    裸眼シネスコ３Ｄデイスプレー７１    ＰＣ端末７２    光回線ターミナル７３    ＵＳＢケーブル７４    スピーカ９      ＤＲＡＭ回路９０    ＤＲＡＭ１９１    ＤＲＡＭ１１９２    ＤＲＡＭ２９３    ＤＲＡＭ２２９７    ＷＥピン９８    出力回路１００  ＤＡＣ１１０１  高密度ＤＡＣ１１０２  ＤＡＣ２１０３  高密度ＤＡＣ２１０４  出力合成（アナログ回路）
【手続補正５】
【補正対象書類名】明細書
【補正対象項目名】００１７
【補正方法】変更
【補正の内容】
【００１７】    ＤＲＡＭ回路（９）は、出力回路（９８）に接続され、裸眼シネスコ３Ｄデイスプレー（７０）の液晶デイスプレー（４５）に接続されている。  出力回路（９８）は、裸眼シネスコ３Ｄデイスプレー（７０）の液晶デイスプレー（４５）に映像信号を出力する回路である。演算回路３（Ｅ３）（２０６）の出力は、演算記憶ブロック（２２０）の演算記憶ブロックＡ（２２１）とＤＲＡＭ１（９０）と演算記憶ブロックＢ（２２２）のＤＲＡＭ１１（９１）と独立して接続されている。  ＤＲＡＭ回路（９）のＤＲＡＭ１（９０）の出力は、出力回路（９８）のＤＡＣ１（１００）に接続し、ＤＲＡＭ１１（９１）の出力は、出力回路（９８）の高密度ＤＡＣ１（１０１）に接続し、ＤＲＡＭ２（９２）の出力は、ＤＡＣ２（１０２）に接続し、ＤＲＡＭ２２（９３）の出力は、高密度ＤＡＣ２（１０３）に接続されアナログ信号として出力される。これはすべて出力合成（１０４）に混合され液晶デイスプレー（４５）に入力される。
【手続補正６】
【補正対象書類名】明細書
【補正対象項目名】００１９
【補正方法】変更
【補正の内容】
【００１９】  カラーフィルタ（４７）の裏にフレネルレンズシート（４６）が設けてあることは表示面にレンズがあるとピントが合わないばかりか映像のブレも生じる。見る方向による映像の歪みもある。液晶ディスプレー（４５）の後段にレンズシート（４１）がついて前段にもフレネルレンズシート（４６）が配置されている。これが空間に映像を結像することができる。焦点ができるからである。
【手続補正７】
【補正対象書類名】図面
【補正対象項目名】図４
【補正方法】変更
【補正の内容】
【図４】
2019029982.tif 000019
【手続補正書】
【提出日】平成29年10月19日(2017.10.19)
【手続補正１】
【補正対象書類名】特許請求の範囲
【補正対象項目名】請求項２
【補正方法】変更
【補正の内容】
【請求項２】
垂直走査線パルス発振回路と第４カウンタとＴ−ＦＦで走査線偶数列において、ＤＲＡＭ１に記憶した演算回路３の出力と、暗号解析回路部で傾き度数を暗号化して送信された記号の組み合わせを３個のエンコード回路に入力、桁数を変える演算回路７ブロックと演算回路８で加算してＲＯＭ５を読み出し、傾き信号を作成し、復調プロセッサで細かな補完数値をＤＲＡＭ１１に記憶し、同時に読み出し、出力回路でＤＲＡＭ１の出力はＤＡＣ１で、ＤＲＡＭ１１の出力は、高密度ＤＡＣ１でアナログ合成して液晶ディスプレーの走査線偶数列に出力することを特徴とする請求項１記載の裸眼立体表示器。
【手続補正２】
【補正対象書類名】図面
【補正対象項目名】図３
【補正方法】変更
【補正の内容】
【図３】
2019029982.tif 000020